(57)【要約】【課題】パチンコ機のメインの抽選機能とは別個の付加特典としての抽選機能を有すると共に、当該付加特典の抽選状況を遊技者に報知する表示機能を併せ持つパチンコ機用風車装置を提供する。【解決手段】本発明によるパチンコ機用風車装置は、遊技盤の一部をなす基体と、遊技盤の盤面に略垂直な回転軸の周りに回転自在な如く前記基体に取り付けられた風車体と、風車体と共に回転するルーレット体と、ルーレット体の停止角度位置が所定角度位置に一致した場合に検知信号を発するセンサーと、検知信号に応じて遊技盤上に設置された可動役物を駆動する駆動回路と、ルーレット体の停止角度位置を表示する表示器と、を含むことを特徴とする。【選択図】図１
2006255284.tif 000002
【特許請求の範囲】
【請求項１】
パチンコ機の遊技盤上に設けられて遊技球の落下流路に変化を与える風車装置であって、
前記遊技盤の一部をなす基体と、
前記遊技盤の盤面に略垂直な回転軸の周りに回転自在な如く前記基体に取り付けられた風車体と、
前記風車体と共に回転するルーレット体と、
前記ルーレット体の停止角度位置が所定角度位置に一致した場合に検知信号を発するセンサーと、
前記検知信号に応じて前記遊技盤上に設置された可動役物を駆動する駆動回路と、
前記ルーレット体の停止角度位置を表示する表示器と、を含むことを特徴とするパチンコ機用風車装置。
【請求項２】
前記センサーは、前記ルーレット体の端部に設けられた被検知子と、前記基体に取り付けられて前記被検知子の接近に応じて前記検知信号を生成する検知子と、からなることを特徴とする請求項１記載のパチンコ機用風車装置。
【請求項３】
前記ルーレット体は前記基体の裏側にあって、前記表示器は、前記基体上に設けられて前記所定角度位置を示す角度マークと、前記風車体に設けられて前記角度マークの一部を示す矢印マークと、を含むことを特徴とする請求項１記載のパチンコ機用風車装置。
【請求項４】
前記ルーレット体が前記遊技盤の後方に設けられており、前記表示器は、前記ルーレット体の周縁端部に設けられて前記所定角度位置を示す角度マークと、前記基体に設けられた前記ルーレット体の端部に対向する貫通孔と、を含むことを特徴とする請求項１記載のパチンコ機用風車装置。
【請求項５】
前記ルーレット体が前記遊技盤の前方に設けられており、前記表示器は、前記ルーレット体に設けられて前記所定角度位置を示す角度マークと、前記基体上に設けられて前記角度マークの一部を示す矢印マークと、を含むことを特徴とする請求項１記載のパチンコ機用風車装置。
【発明の詳細な説明】
【技術分野】
【０００１】
本発明は、パチンコ機の遊技盤内に配置されて遊技球の落下流路に変化を与えるための風車装置に関し、特に、パチンコ機のメインの抽選機能とは別個の付加特典としての抽選機能を有すると共に、当該付加特典の抽選状況を遊技者に報知する表示機能を併せ持つパチンコ機用風車装置に関する。
【背景技術】
【０００２】
落下する遊技球をその左右に振り分けて、遊技球の落下流路に変化を与えるための風車装置を有するパチンコ機がある。このような風車装置は、一般的には３枚又は４枚の羽を有する回転体を含み、当該回転体を遊技盤面に植設された釘の周りに回動自在に軸支しただけの簡単な構造を有している。
【０００３】
近年、このような風車装置に電球などの装飾を取り付けて、遊技者への視覚的効果を高めることを狙った遊技機も多く提供されている。例えば、中央演算処理装置内で行われた抽選結果に応じて、中央役物装置内の特別図柄表示装置に所定の図柄を表示させることが広く行われているが、特に、「大当たり」時にあっては、特別図柄表示装置にあわせて、風車装置の電球を点灯又は点滅させる遊技機があった。
【０００４】
例えば、特許文献１及び２では、電動役物の各開閉部材の開放状態を各風車装置に取り付けた電球の点灯又は点滅によって遊技者に報知する遊技機が開示されている。中央演算装置内で行われた抽選結果において、「当たり」の場合にあっては、中央役物装置内の普通図柄表示装置に所定の当たり図柄を表示する。これとともに、風車装置の電球を点灯又は点滅させて、電動チューリップの如き、電動可動役物の開閉部材が開放されることを報知するのである。
【０００５】
また、例えば、特許文献３では、中央役物装置の液晶パネルを大当たり抽選に関する専用表示器として使用する一方、遊技機のメインの抽選機能とは別個の付加特典（例えば、確率変動遊技や時短遊技等を行うことができる権利）の抽選に関する表示は当該液晶パネルによることなく、風車装置に取り付けた電球の点灯によって行う遊技機が開示されている。
【特許文献１】特開２００３−１６４６０８
【特許文献２】特開２００３−６２２１４
【特許文献３】特開２００１−８７４６７
【発明の開示】
【発明が解決しようとする課題】
【０００６】
風車装置が付加特典としての抽選機能を提供すると共に、当該付加特典の「あたり」若しくは「はずれ」の抽選結果を表示する表示機能を、例えば中央役物装置の液晶表示パネルなどを介することなく、独立して別個に保有しているとするならば、当該風車装置は遊技機のメインの遊技機能に影響を与えない全く別個の独立した抽選遊技ユニットとすることができるのである。このような風車装置は、遊技機の種類にかかわりなく、自由にその一部に組み込むことが出来る。また、このような風車装置は、遊技機のメインの遊技機能が更新されても、後継機種の一部において常に同じ抽選機能を継続して提供することができるので、遊技者が従来の機種において得た技術的要素を後継機種においても継承することが可能になるのである。
【０００７】
ところで、上記した如き風車装置の風車は、落下してくる遊技球の力だけで回転するのであって、自ら回転するための動力を有していない。従って、風車装置の回転運動を利用して付加特典の抽選を行う場合にあっても、風車装置の風車の回転運動を阻害しないようにして、「あたり」若しくは「はずれ」の抽選及び当該抽選結果の遊技者への報知を行わなければならない。
【０００８】
また、更に、風車装置に電球を取り付けて、当該電球を点灯又は点滅するだけでは、抽選結果を表示する表示機能としての面白みに欠ける。これにより、汎用遊技ユニットとして機種の更新がなされても継続的に使用したい、との意欲を失いかねない。
【０００９】
そこで、本発明では上記した如き事情に鑑みて、パチンコ機の遊技盤内に配置されて遊技球の落下流路に変化を与えるための風車装置に関し、特に、付加特典としての抽選機能を有すると共に、当該付加特典の抽選状況を遊技者に報知する表示機能を併せ持つパチンコ機用風車装置を提供せんとするものである。
【課題を解決するための手段】
【００１０】
本発明によるパチンコ機用風車装置は、パチンコ機の遊技盤上に設けられて遊技球の落下流路に変化を与えるための風車装置であって、前記遊技盤の一部をなす基体と、前記遊技盤の盤面に略垂直な回転軸の周りに回転自在な如く前記基体に取り付けられた風車体と、前記風車体と共に回転するルーレット体と、前記ルーレット体の停止角度位置が所定角度位置に一致した場合に検知信号を発するセンサーと、前記検知信号に応じて前記遊技盤上に設置された可動役物を駆動する駆動回路と、前記ルーレット体の停止角度位置を表示する表示器と、を含むことを特徴とする。
【００１１】
かかるパチンコ機用風車装置は、一切、外部からの駆動電源を与えられずとも付加特典としての抽選機能を提供できると共に、当該付加特典の抽選結果も外部からの駆動電源を与えられずとも表示できる表示機能を兼ね備えているのである。このパチンコ機用風車装置は、例えば中央役物装置の液晶表示パネルなどを介することなく、風車装置が独自に抽選結果を表示することができるので、遊技機のメインの遊技機能に全く影響を与えないのである。故に、これは別個の独立した遊技ユニットを形成することが出来るのである。
【発明を実施するための形態】
【００１２】
【実施例１】
【００１３】
本発明による第１の実施例であるパチンコ機用風車装置を含む遊技機について図１乃至図３を用いて説明する。
【００１４】
特に図１に示すように、遊技機１の遊技盤１ａの中央部には、特別図柄表示装置２ａなどを含む中央役物装置２が配置されている。なお、以下において、遊技盤１ａを正面から見て、右方向を単に「右」若しくは「Ｘ軸の正の方向」、上方向を単に「上」若しくは「Ｙ軸の正の方向」、奥行き方向を「後方」若しくは「Ｚ軸の正の方向」（反対に、手前方向を「前方」）と称することとする。中央役物装置２の右方向には、遊技球の衝突によって回転する風車３ａを有する風車装置ユニット３が設置されている。また、中央役物装置２の左方向下には、電動チューリップの如き可動部材４ａを有する可動役物４が設置されている。
【００１５】
更に詳細に風車装置ユニット３について説明する。
【００１６】
特に、図２及び図３に示すように、遊技盤１ａの円形穴１０には風車装置ユニット３が遊技盤１ａの表側から嵌め込まれて、風車装置ユニット３の基体１１は遊技盤１ａの一部を構成している。基体１１の中心部には貫通穴であるシャフト穴１２が形成されている。シャフト穴１２にはシャフト１３が貫挿されている。ここで、シャフト１３の略中央部には、部分的に径を太く形成した抜け落ち防止部１３ａが形成されている。この抜け落ち防止部１３ａにより、シャフト１３をシャフト穴１２へ遊技盤１ａの裏側から貫挿しても、抜け落ち防止部１３ａがシャフト穴１２の周囲に当接して、シャフト１３が遊技盤１ａの表側へ向けて抜け落ちないようになっている。
【００１７】
基体１１の表側に突出したシャフト１３の端部近傍には、シャフト１３の長手方向に沿って取り付けられて、シャフト１３から放射方向に伸張する４枚の風車（羽）３ａがある。シャフト１３の端部には、シャフト１３と垂直に広がる面内において延在する円盤１４が取り付けられている。なお、風車（羽）３ａの一部は円盤１４に接続されている。円盤１４の表側には矢印マーク１４ａが描かれている。矢印マーク１４ａの向きについては後述する。
【００１８】
基体１１の裏側に向けて突出したシャフト１３の端部には、円盤１４と平行であって、シャフト１３と垂直に広がる面内において延在する円盤状のルーレット体１５が取り付けられている。ルーレット体１５の周縁端部には少なくとも１カ所の切り込み１５ａが設けられている。
【００１９】
基体１１の裏面側には、間隙１６ａを有するＹＺ面内において断面略コの字状のセンサー固定部材１６が固定されている。センサー固定部材１６の間隙１６ａの内部にはルーレット体１５の周縁端部が延在している。センサー固定部材１６の間隙１６ａの互いに対向する面には一組の光学センサー１７が取り付けられており、検知信号を検出部１８へ送出している。かかる光学センサー１７によって、ルーレット体１５の周縁端部の切り込み１５ａがセンサー固定部材１６に接近したことを非接触で検知することが可能である。すなわち、光学センサー１７は、光源としての発光子１７ａと、かかる光源から発せられる光を検出する検知子１７ｂとからなる。通常状態において、ルーレット体１５の周縁端部はセンサー固定部材１６の間隙１６ａ内に位置しているため、発光子１７ａからの光は検知子１７ｂへは届かないのである。一方、ルーレット体１５が回転して、センサー固定部材１６の間隙１６ａ内にルーレット体１５の切り込み１５ａが位置すると、発光子１７ａからの光が検知子１７ｂへ届くようになるのである。なお、ルーレット体１５が回転しているときにあっても、切り込み１５ａがセンサー固定部材１６の間隙１６ａ内を通過するたびにわずかな時間ずつ発光子１７ａからの光が検知子１７ｂへ到達する。しかしながら、検出部１８では一定時間だけ連続して検知子１７ｂが光を検知している時を「当たり」として判断するのである。そして検出部１８が「当たり」と判断するとＣＰＵへ信号を送出するのである。
【００２０】
ここで、光学センサー１７はルーレット体１５に非接触であるため、風車３ａの回転運動に影響を与えることがない。かかる光学センサー１７は風車３ａの回転運動に大きく影響を与えないものであれば他のタイプのセンサーであってもよい。例えば、ルーレット体１５の周縁端部に微小な永久磁石を埋め込み、磁石の接近によってスイッチがＯＮとなるリードスイッチをセンサー固定部材１６に取り付けても良い。
【００２１】
基体１１の表側には、円盤１４の周縁端部に沿って円環状に、例えば１から８の数字などからなり、円盤１４が所定角度位置で停止した時を「当たり」として遊技者に通知するための表示図柄（角度マーク）１９が描かれている。ここで、表示図柄１９のうちの「当たり」図柄、例えば「１」であれば、「１」を円盤１４の表側に描かれた矢印マーク１４ａが指したときに、ルーレット体１５の周縁端部の切り込み１５ａがセンサー固定部材１６の間隙１６ａに位置するように切り込み１５ａがルーレット体１５に設けられている。一方、表示図柄１９のうちの「２」乃至「８」の図柄は「はずれ」図柄を示すこととなる。このように「はずれ」図柄の数を「あたり」図柄に対して数を多く設けることにより、実際には光学センサー１７によって「あたり」若しくは「はずれ」の２種類しか判別をしていないのであるが、遊技者は「はずれ」にあっても「あたり」に近い「はずれ」であるのか、遠い「はずれ」であるのかを認識して、遊技をより深く楽しむことが出来るのである。
【００２２】
次に、上記した本発明による第１の実施例であるパチンコ機用風車装置を含む遊技機の動作について再び、図１乃至図３を用いて説明する。
【００２３】
遊技者が遊技機１に設けられたハンドル５を操作すると、遊技球が遊技盤１ａ内に連続的に打ち出される。遊技球が中央役物装置２の上方を越えて遊技盤１ａ内を右方向に進んで、風車装置ユニット３の風車３ａに衝突すると、風車３ａが回転する。風車３ａの回転に合わせて、円盤１４及びルーレット体１５もシャフト１３を介して一緒に回転する。一方、この遊技球は風車装置ユニット３の下方向へと落下していく。
【００２４】
風車３ａは慣性力によって一定時間だけ回転を続けるが、所定時間が経過するとやがて停止する。風車３ａの停止とともに、円盤１４及びルーレット体１５も回転を停止する。ここで円盤１４の表側に描かれた矢印マーク１４ａは、表示図柄１９のうちのいずれか１を指す。矢印マーク１４ａが「当たり」図柄である「１」を指したときに、ルーレット体１５の周縁端部の被検知子としての切り込み１５ａはセンサー固定部材１６の間隙１６ａに位置する。このとき、発光子１７ａからの光は検知子１７ｂへ到達して、光学センサー１７からの信号が検出部１８に送出される。なお、上記したように、ルーレット体１５が回転しているときにあっても、わずかな時間ずつ発光子１７ａからの光が検知子１７ｂへ到達するが、検出部１８では一定時間だけ連続して検知子１７ｂが光を検知した時を「当たり」として判断するのである。故に、ルーレット体１５が停止したときに初めて検出部１８は「当たり」を判断してＣＰＵへ検知信号を送出するのである。
【００２５】
ＣＰＵは図示しない駆動回路に信号を送出して、所定時間だけ電動チューリップの如き可動役物４の可動部材４ａを開動作させて、遊技球が可動役物４の内部に入球し易い状態になるのである。可動役物４に遊技球が入球すると所定数量の遊技球が払い戻される。
【００２６】
一方、矢印マーク１４ａが「はずれ」図柄である「１」以外の図柄を指したときには、発光子１７ａからの光は検知子１７ｂへ到達しないから、光学センサー１７からの信号は検出部１８で「当たり」とは判断されず、ＣＰＵへ検知信号が送出されない。故に、可動役物４に変化は生じないのである。しかしながら、遊技者は、「当たり」図柄である「１」に近い「２」や「８」が表示されることで、同じ「はずれ」でありながら、あと少しで「当たり」を得られるため、受ける印象が全く異なるのである。
【００２７】
なお、可動役物４は所定数の遊技球が入球すると閉動作するように構成しても良い。更に電動チューリップはアタッカの如きであっても良い。また、風車装置ユニット３は遊技盤１ａ内に単数でなくとも、複数個設けても良い。このとき、それぞれの風車装置ユニット３の「当たり」が所定時間内に揃った場合にのみ、可動役物４を開動作させてもよい。
【００２８】
また、円盤１４の部分に電球を取り付けて、風車３ａの回転と共に当該電球を点灯又は点滅させても良い。風車３ａの回転スピードに合わせて電球を点滅させるなどして、遊技球によって回転せしめられた風車３ａが間もなく回転を停止させることを遊技者に報知できるように構成しても良いのである。
【００２９】
上記した構成では、中央役物装置２を挟んでその右側に風車装置ユニット３を、左側に可動役物４を配置している。かかる配置により、遊技者は、可動役物４を開動作させるべく、最初は風車装置ユニット３を狙って遊技球を打ち出し、風車装置ユニット３で当たりを得た後にあっては、遊技球の打ち出し方向を変化させて、開動作した可動役物４を狙って遊技球を打ち出すことが出来る。すなわち、遊技者は出玉を得ようとすれば、遊技球の打ち出し方を調整する必要が生じて、遊技者の技量によって出球数が変動するのである。
【００３０】
ところで、図４及び図５に示すように、第１の実施例の変形例として、風車装置ユニット３’は、基体１１に表示図柄１９を、円盤１４の表側の矢印マーク１４ａを設けることなく、ルーレット体１５の表側の周縁端部に沿って円環状に、例えば１から８の数字などからなる表示図柄（角度マーク）１９を描画したものであっても良い。基体１１には窓部１１ｂが設けられており、窓部１１ｂの裏側に位置する表示図柄１９を遊技者が遊技盤１ａの表側から視認できるようになっている。
【００３１】
上記した第１の実施例では、円盤１４の表側に描かれた矢印マーク１４ａが表示図柄１９のうちのいずれか１の図柄を示して、「当たり」若しくは「はずれ」を表示していたが、本実施例では、窓部１１ｂに示された図柄が例えば、「当たり」図柄である「１」を示したときに、ルーレット体１５の周縁端部の切り込み１５ａがセンサー固定部材１６の間隙１６ａに位置するように設定されているのである。
【００３２】
ここで遊技者がルーレット体１５の表示図柄を視認しやすくするためには、基体１１の厚さが薄い方が好ましい。また、窓部１１ｂに透明樹脂若しくはガラスなどからなる透明なキャップ１１ｂ１を嵌め込むと、窓部１１ｂに遊技球がぶつかってその流路が不自然になることを防止できて好ましい。更に、キャップ１１ｂ１をレンズ体によって構成することで、遊技者がルーレット体１５に描かれた表示図柄１９をより鮮明に認識できて好ましい。また、ルーレット体１５を小さくしても遊技者が表示図柄１９を認識できるので、風車装置ユニット３’をより小型化できるのである。
【００３３】
上記した実施例によるパチンコ機用風車装置ユニット３及び３’は、外部からの駆動電源を与えられずとも風車３ａの回転力をルーレット体１５に伝達して、ルーレット体１５によって付加特典としての抽選機能を提供している。更に、当該付加特典の抽選結果も外部からの駆動電源を与えられずとも表示図柄１９によって表示することができる。このパチンコ機用風車装置ユニットは、例えば中央役物装置の液晶表示パネルなどを介することなく、風車装置が独自に抽選結果を表示することができるので、遊技機のメインの遊技機能に影響を全く与えないのである。
【実施例２】
【００３４】
本発明による第２の実施例であるパチンコ機用風車装置を含む遊技機について図６及び図７を用いて説明する。
【００３５】
第２の実施例による風車装置ユニット２０は、遊技盤１ａの表面を切削して形成された切削部２１に取り付けることが可能である。風車装置ユニット２０の基体２２の中心部にはシャフト２３が回動自在に軸支されている。基体２２の表側に向けて突出したシャフト２３の端部近傍には、シャフト２３の長手方向に沿って取り付けられて、シャフト２３から放射方向に伸張する４枚の風車（羽）３ａがあるのは実施例１と同様である。また、シャフト２３の端部には、シャフト２３に垂直に広がる面内において延在する円盤２４が取り付けられており、風車（羽）３ａの一部は円盤２４に接続されている。
【００３６】
基体２２と風車（羽）３ａとの間には、円盤２４と平行であって、シャフト２３に垂直に広がる面内において延在する円盤状のルーレット体２５がシャフト２３に固定されている。風車装置ユニット２０は、実施例１と異なり、基体２２の表側にルーレット体２５を有するのである。故に、実施例１よりも基体２２の裏側の厚さを減じることが出来て、例えば、上記した如く、遊技盤１ａに貫通穴を設けなくとも、遊技盤１ａの凹部に組み込むことが可能となるのである。
【００３７】
ルーレット体２５の周縁端部裏側には少なくとも１カ所に永久磁石２６ａが埋め込まれている。また、基体２２の表側には、永久磁石２６ａの接近によってスイッチがＯＮとなるリードスイッチ２６ｂが取り付けられている。かかる永久磁石２６ａ及びリードスイッチ２６ｂによって、ルーレット体２５が所定角度位置にあることを検出できるのである。
【００３８】
ルーレット体２５の表側には、例えば１から８の数字などからなり、円盤２４及びルーレット体２５が所定角度位置で停止した時を「当たり」として遊技者に通知するための表示図柄１９が描かれている。ここで、表示図柄１９のうちの「当たり」図柄、例えばこれが「１」であれば、「１」を上方に向けてルーレット体２５が停止したときに、ルーレット体２５の周縁端部の永久磁石２６ａがリードスイッチ２６ｂに近接するようになされている。また、ルーレット体２５の近傍には、上方に向けて位置した表示図柄１９が「当たり」若しくは「はずれ」の判断の対象となることを表示するための矢印マーク１９ａが記載されている。
【００３９】
上記した本発明による第２の実施例であるパチンコ機用風車装置を含む遊技機の動作については説明を省略する。
【図面の簡単な説明】
【００４０】
【図１】本発明の実施例による風車装置を含む遊技機の図である。
【図２】本発明の実施例による風車装置の断面図である。
【図３】本発明の実施例による風車装置の要部の図である。
【図４】本発明の実施例による風車装置の断面図である。
【図５】本発明の実施例による風車装置の要部の図である。
【図６】本発明の実施例による風車装置の断面図である。
【図７】本発明の実施例による風車装置の要部の図である。
【符号の説明】
【００４１】
１                遊技機
１ａ              遊技盤
２                中央役物装置
３、３’、２０     風車装置ユニット
３ａ              風車（羽）
４                可動役物
１０              円形穴
１１              基体
１２              シャフト穴
１３              シャフト
１３ａ            抜け落ち防止部
１４              円盤
１４ａ            矢印マーク
１５              ルーレット体
１５ａ            切り込み
１６              センサー固定部材
１６ａ            間隙
１７              センサー
１７ａ            発光子
１７ｂ            検知子
１８              検出部
１９              表示図柄（角度マーク）
２１              切削部
２２              基体
２４              円盤
２５              ルーレット体
２６ａ            永久磁石
２６ｂ            スイッチ
【図１】
2006255284.tif 000003
【図２】
2006255284.tif 000004
【図３】
2006255284.tif 000005
【図４】
2006255284.tif 000006
【図５】
2006255284.tif 000007
【図６】
2006255284.tif 000008
【図７】
2006255284.tif 000009